(57)【要約】      （修正有）【課題】携帯電話器内に小型モーターを少なくとも１個設け、小型モーターの先端に減速変動具を設けると共に、減速変動具の先端に押圧具を設けてなることを特徴とする携帯電話器用着信器。【解決手段】携帯電話器に内設した小型モーター、減速変動具、及び押圧具により構成し、特に押圧具をシーソー状に形成することにより、ポケット内で押圧運動を行い確実に着信を認識できる。また、ソレノイドにより押圧具を出入させ指圧にて知らせ、コントローラーにて着信先別が分かる携帯電話器用着信器を提供する。【選択図】図１
0003121462.tif 000002
【実用新案登録請求の範囲】
【請求項１】
携帯電話器内に小型モーターを少なくとも１個設け、該小型モーターの先端に減速変動具を設けると共に、該減速変動具の先端に押圧具を設けてなろことを特徴とする携帯電話器用着信器。
【請求項２】
押圧具をシーソー状に作動すべく形成してなることを特徴とする請求項１記載の携帯電話器用着信器。
【請求項３】
携帯電話器内にソレノイドを少なくとも１個設け、該ソレノイドの先端に押圧具を設けてなることを特徴とする携帯電話器用着信器。
【請求項４】
押圧具が、先端を尖端状に形成してなることを特徴とする請求項１、２又は３記載の携帯電話器用着信器。
【請求項５】
着信先別に、押圧具をコントロールするコントロール部を設けてなることを特徴とする請求項１、２、３又は４記載の携帯電話器用着信器。
【考案の詳細な説明】
【技術分野】
【０００１】  本考案は、携帯電話器内に設ける体に押圧刺激を与えて着信を知らせる携帯電話器用着信器に関するものである。
【背景技術】
【０００２】  従来の技術として、携帯電話機に取り付けて用いられる携帯電話機用ストラップであって、前記ストラップが、前記携帯電話機に取り付けるための紐状部材からなる第一の紐部と、前記第一の紐部に接続されている可動体とからなり、前記可動体が、駆動部と、前記駆動部により駆動される可動部と、前記携帯電話機の通話時に発生する電磁波を感知するセンサー部と、前記センサー部が電磁波を感知した時に発生する感知信号を受けて前記駆動部を制御するための制御部と、を備えた携帯電話機用ストラップがある。（特許文献１参照）【０００３】  また、他の従来技術として、上下両端を開口させたボデイケースの左右両側部に手を取り付け、該ボデイケース内に、モータの回転力を減速ギヤ機構を介して主軸に伝えるようにしてあるギヤボックスを収納すると共に、該ギヤボックスの左右両外側部に、下端に足を有する脚プレートを下方から挿入配置して、ギヤボックスに上下動できるように係合させ、上記ギヤボックスの左右両側部より外方へ突出させた主軸の両端部と左右の脚プレートの所要個所とを、左右で１８０°位相をずらした偏心機構を介し連結して、主軸の回転により左右の脚プレートが揺動運動をして足が交互に前後方向へ動くことができるようにし、且つ上記ギヤボックス上に、下端を開口させたヘッドケースを首振り可能に支持させて、上記左右の脚プレートの上下動時にヘッドケースが首振りさせられるようにし、更に、電波を着信して上記モータへ駆動指令を与える制御基板を備えてなることを特徴とする携帯電話機用着信報知装置がある。（特許文献２参照）
【特許文献１】  特開２０００−２３６３７１号公報
【特許文献２】  実用新案登録第３０６９３９０号公報
【考案の開示】
【考案が解決しようとする課題】
【０００４】  上記前者においては、ストラップであって、別体のものであり、また、人形の手足が動くレベルでは体感として着信が伝わらない可能性がある。【０００５】  また、上記後者においては、ロボット形状に構成してなるもので、これもまた、別体のものであり、ポケットの中に入れて持ち歩くにはかさばり、別電源を必要とするため、電源が切れたら使用できなくなる。【０００６】  なお、現有の携帯電話器は、周知のとおり、バイブレーターにて知らせているが、体感できないケースが多くあり、テーブル上に置くと振動音が出てしまい周囲に迷惑が掛り、置けない場合もあり、確実に分かるものが望まれていた。【０００７】  本考案は、上記のような従来の構成が有する問題点を解決しようとするもので、その目的は、携帯電話器に内設した小型モーター、減速変動具、及び押圧具により構成し、特に押圧具をシーソー状に形成することにより、ポケット内で押圧運動を行い確実に着信を認識できる。
また、ソレノイドにより押圧具を出入させ指圧にて知らせ、コントローラーにて着信先別が分かる携帯電話器用着信器を提供するものである。
【課題を解決するための手段】
【０００８】  本考案は、上記目的を達成するために、携帯電話器内に小型モーターを少なくとも１個設け、該小型モーターの先端に減速変動具を設けると共に、該減速変動具の先端に押圧具を設けてなる。
また、押圧具をシーソー状に作動すべく形成してなる。
そして、携帯電話器内にソレノイドを少なくとも１個設け、該ソレノイドの先端に押圧具を設けてなる。
さらに、押圧具が、先端を尖端状に形成してなる。
さらにまた、着信先別に、押圧具をコントロールするコントロール部を設けてなることを特徴とする。
【考案の効果】
【０００９】１）、小型モーター・減速変動具・押圧具の構成により、携帯電話器をポケット内に入れて歩行しても、着信時に押圧具にて肌を押圧し、着信したことが容易に分かるものである。
２）、押圧具をシーソー状に形成することにより、交互に肌を押圧することができ、より着信を認識できる。
３）、ソレノイド・押圧具の構成により、肌を垂直方向に押圧（指圧）することにより、より強く押圧（指圧）できる。
４）、押圧具の先端を尖端状に形成することにより、ツボの位置に携帯電話器を持って行き、使用することにより、指圧効果を有する。
５）、コントロール部により、着信先が分かり、出る出ないを決めることができる。
６）、テーブル等に置かなくてもポケット内で確実に着信を知ることができ、周囲に迷惑を掛けることがない。
【考案の実施するための最良の形態】
【００１０】  携帯電話器用着信器１は、小型モーター２の先端に、回転数を減速する等の機能を有する減速変動具３を設けると共に、該減速変動具３の軸３ａの先端に、棒状体で両端を球状４ａに形成し、中央部を取り付けてなる押圧具４を設けてなる。
なお、押圧具４は、シーソー状に作動すべく形成してなるもので、作動方法としては、小型モーター２を正逆反転させてなる方法等、特に限定するものではない。
【００１１】  つぎに、上記携帯電話器用着信器１の使用例について述べる。
携帯電話器ＫＤの本体Ｈ内に設けるもので、側面より押圧具４を突出させ、水平状に保持してなる。
【００１２】  この状態で、ポケット内等に入れ、着信時において、小型モーター２が回転し、減速変動具３を介して押圧具４を軸３ａを中心として、シーソー状に作動することにより、肌を交互に押圧することにより歩行中でも着信が分かるものである。
【００１３】  つづいて、他の実施例を説明する。
携帯電話器用着信器２１は、ソレノイド（電気を流すことにより、軸が前後に動くもの）２２の先端に、先端を尖端状に形成してなる円柱状の押圧具２４を設けてなるものである。
【００１４】  上記携帯電話器用着信器２１の使用例について述べる。
例えば、携帯電話器ＫＤ１の本体Ｈ１に携帯電話器用着信器２１を４個連設してなるもので、コントロール部５にて、着信先により、例えば４個すべて作動させることもできるし、１個作動させることもできる。
このように、ポケット内に入れた時、押圧具２４にて腕や胸の肌を直接押圧（指圧）することにより、着信を早く確認できるものである。
【００１５】  上記各実施例において、小型モーター・減速変動具・押圧具・ソレノイド等の性能については、同様な機能を有するものであれば、特に限定するものではない。
【図面の簡単な説明】
【００１６】
【図１】  本考案の第１実施形態を示す携帯電話器用着信器の正面図。
【図２】  本考案の第１実施形態を示す携帯電話器用着信器の側面図。
【図３】  本考案の第１実施形態を示す携帯電話器用着信器の使用状態の平面図。
【図４】  本考案の第１実施形態を示す携帯電話器用着信器の使用状態の側面図。
【図５】  本考案の第２実施形態を示す携帯電話器用着信器の一部縦断正面図。
【図６】  本考案の第２実施形態を示す携帯電話器用着信器の使用状態の側面図。
【符号の説明】
【００１７】    １−−−携帯電話器用着信器
２−−−小型モーター
３−−−減速変動具
３ａ−−軸
４−−−押圧具
４ａ−−球状
ＫＤ−−携帯電話器
Ｈ−−−本体
【図１】
0003121462.tif 000003
【図２】
0003121462.tif 000004
【図３】
0003121462.tif 000005
【図４】
0003121462.tif 000006
【図５】
0003121462.tif 000007
【図６】
0003121462.tif 000008